(57)【特許請求の範囲】
【請求項１】
デッキ材と、幕板固定具と、幕板とを備え、デッキ材は長尺材であり、幕板固定具は、被取付部と、固定部とを有し、幕板固定具の被取付部はデッキ材の下に配置してデッキ材に軸着してあり、幕板はカバー部と、被固定部とを有し、幕板固定具の被取付部をデッキ材に対して回転することにより幕板固定具の固定部の向きをデッキ材の端面に合わせて幕板固定具の固定部を幕板の被固定部に固定してあり、幕板固定具で左右に配置した複数のデッキ材端面に幕板を取付けて、幕板のカバー部で各デッキ材の端面と幕板固定具とを隠していることを特徴とする床。
【請求項２】
デッキ材と、デッキ材固定具と、幕板固定具と、幕板とを備え、デッキ材は長尺材であり、左右に配置してあると共に隣のデッキ材側に被係止部を有し、デッキ材固定具は隣合うデッキ材間に配置して且つ隣合うデッキ材の各被係止部に係止してあり、幕板固定具は、デッキ材固定具に軸着してあり、幕板はカバー部と、被固定部とを有し、幕板固定具をデッキ材固定具に対して回転することにより幕板固定具の向きをデッキ材の端面に合わせて幕板の被固定部に固定してあり、デッキ材固定具と幕板固定具とで左右に配置した複数のデッキ材の端面に幕板を取付けて、幕板のカバー部で各デッキ材の端面と幕板固定具とを隠していることを特徴とする床。
【発明の詳細な説明】
【技術分野】
【０００１】
本発明は、デッキ材の端面を幕板で隠した床に関するものである。
【背景技術】
【０００２】
特許文献１には、幕板固定具をデッキ材に取付けておき、デッキ材の端面に配置した幕板を幕板固定具の固定部に固定することが開示されている。
一方、複数のデッキ材の端面で連続した湾曲を形成し、デッキ材の端面に沿って湾曲状に幕板を固定する要求がある。
【０００３】
【特許文献１】特開２００３−２７８２６９号公報
【発明の開示】
【発明が解決しようとする課題】
【０００４】
しかし、複数のデッキ材の端面で連続した湾曲状を成す場合には、デッキ材に固定する幕板固定具の固定部の向きはデッキ材毎に異なる為、特許文献１の技術では、幕板固定具の固定部の向きが適正でない場合がある。幕板固定具の向きが不適正のまま膜板を固定すると、例えば幕板固定具の固定部と幕板との間隔が広すぎてねじが充分に螺合できなかったり、固定部に対してねじが斜めになったりして、幕板の固定が不安定になるという問題がある。
更に、幕板固定具の固定部の向きが適正でなかった場合に、デッキ材に取付けた幕板固定具を取り外して固定部の向きを調整して再度幕板固定具を取付けたのでは施行に手間がかかるという問題がある。
【０００５】
そこで、本発明は、複数のデッキ材の端面が湾曲を形成している場合でも湾曲に沿って幕板を簡単に且つ強固に取付けできる床の提供を目的とする。
【課題を解決するための手段】
【０００６】
請求項１に記載の発明は、デッキ材と、幕板固定具と、幕板とを備え、デッキ材は長尺材であり、幕板固定具は、被取付部と、固定部とを有し、幕板固定具の被取付部はデッキ材の下に配置してデッキ材に軸着してあり、幕板はカバー部と、被固定部とを有し、幕板固定具の被取付部をデッキ材に対して回転することにより幕板固定具の固定部の向きをデッキ材の端面に合わせて幕板固定具の固定部を幕板の被固定部に固定してあり、幕板固定具で左右に配置した複数のデッキ材端面に幕板を取付けて、幕板のカバー部で各デッキ材の端面と幕板固定具とを隠していることを特徴とする。
【０００７】
請求項２に記載の発明は、デッキ材と、デッキ材固定具と、幕板固定具と、幕板とを備え、デッキ材は長尺材であり、左右に配置してあると共に隣のデッキ材側に被係止部を有し、デッキ材固定具は隣合うデッキ材間に配置して且つ隣合うデッキ材の各被係止部に係止してあり、幕板固定具は、デッキ材固定具に軸着してあり、幕板はカバー部と、被固定部とを有し、幕板固定具をデッキ材固定具に対して回転することにより幕板固定具の向きをデッキ材の端面に合わせて幕板の被固定部に固定してあり、デッキ材固定具と幕板固定具とで左右に配置した複数のデッキ材の端面に幕板を取付けて、幕板のカバー部で各デッキ材の端面と幕板固定具とを隠していることを特徴とする。
【発明の効果】
【０００８】
請求項１に記載の発明によれば、デッキ材に軸着してある被取付部を回転することにより、幕板固定具の固定部の向きをデッキ材の端面に合わせ、幕板の被固定部に対して各幕板固定具の固定部の向きを適正な角度にして、幕板を幕板固定具の固定部に固定することができる。
特に、複数のデッキ材の端面で湾曲を形成している場合でも、デッキ材の端面に湾曲状に配置した幕板に対して各幕板固定具の固定部の向きをデッキ材端面に合わせているので、デッキ材端面に沿って配置した幕板の被固定部と幕板固定具の固定部との間隔が広くなりすぎたり、固定部に対してねじや釘等が斜めになるのを防止できるから、デッキ材に幕板を強固に取付けできる。
また、幕板固定具の固定部の向きを調整する為に、幕板固定具をデッキ材から外して再度取付け直す必要がないので、幕板の取付けが簡単にできる。
【０００９】
請求項２に記載の発明によれば、デッキ材固定具を用いて幕板固定具を取付けているから、床の部品種類を少なくすることができる。
幕板固定具をデッキ材固定具に対して回転することにより幕板固定具の向きをデッキ材の端面に合わせて、幕板をデッキ材の端面に固定することができる。
特に、デッキ材の端面が湾曲状を成している場合でも、デッキ材の端面に湾曲状に配置した幕板に対して各幕板固定具の向きをデッキ材端面に合わせているので、デッキ材端面に沿って配置した幕板の被固定部と幕板固定具の固定部との間隔が広くなりすぎたり、固定部に対してねじや釘等が斜めになるのを防止できるから、デッキ材に幕板を強固に取付けできる。
また、幕板固定具の向きを調整する為に、幕板固定具をデッキ材から外して再度取付け直す必要がないので、幕板の取付けが簡単にできる。
【発明を実施するための最良の形態】
【００１０】
以下に、本発明の実施の形態を添付図面を参照して詳細に説明する。図１（ａ）は図５に示す床のＡ−Ａ断面図であり、図１（ｂ）は図１（ａ）に示す幕板固定具と取付部材とのデッキ材への取付前の状態を示す斜視図であり、図２（ａ）は図５に示す床のＢ―Ｂ断面図であり、図２（ｂ）は図２（ａ）に示す幕板固定具と取付部材とのデッキ材への取付前の状態を示す斜視図であり、図３は図５に示す床のＣ−Ｃ断面図であり、図４は図５に示す床のＥ−Ｅ断面図であり、図５は本実施の形態にかかる床の図であり、（ａ）は平面図であり、（ｂ）は正面図である。
図５に示す床１は、複数の実施の形態を含んでおり、Ａ−Ａで示す位置には第１実施の形態に係る床１Ａがあり、Ｂ−Ｂで示す位置、Ｃ−Ｃで示す位置、及びＥ−Ｅで示す位置には第２実施の形態に係る床１Ｂがある。
まず、図１及び図５を参照して本発明の第１実施の形態に係る床１Ａを説明する。
第１実施の形態に係る床１Ａは、デッキ材３と、幕板５と、幕板固定具７と、取付部材９とを備えている。
デッキ材３は長尺材であり、複数配置されている。各デッキ材３は、長手方向縁３ａを対向して左右に並べている。デッキ材３は根太１１（図３及び図５参照）に載置してあり、根太１１は束１３に支持されている。
尚、図５に示すように、床１には隣合う複数のデッキ材３の端面で連続した平面（平面視直線状）を形成しているＦ部分と湾曲面を形成しているＧ部分とがある。
各デッキ材３は長手方向に中空部３ｂを有する形材であり、長手方向に沿う左右の縁３ａには、各々隣のデッキ材側に突設する被係止部３ｃが設けてある。
幕板５は、デッキ材３の端面３ｄに配置してデッキ材に取付けており、各デッキ材３の端面３ｄを隠すカバー部１５と、幕板固定具７に固定される被固定部１７とを有している。
取付部材９は、板材であり、デッキ材３の中空部３ｂ内に配置されている。この取付部材９には、雌ねじ孔２５が形成されており、幕板固定具７をデッキ材３にねじ止めするときの裏板としてある。
幕板固定具７は、デッキ材３に取付ける被取付部１９と、被取付部１９の下方に設けた固定部２１とを有している。本実施の形態では、幕板固定具７は押出し形材であり、被取付部１９と固定部２１とが一体に形成されている。
被取付部１９はデッキ材３の下面に配置されて、取付部材９に下方からねじ２３により軸着してある。ねじ２３は被取付部１９とデッキ材３の下面を挿通して取付部材９の雌ねじ孔２５に螺合して固定してある。幕板固定具７の被取付部１９は、ねじ２３を緩めると、ねじ２３を中心にして回転自在であり、所望の角度回転した後、ねじ２３を締め付けて固定するようになっている。
固定部２１は被取付部１９から垂下してあり、中空部２７を有している。固定部２１の幕板側面には幕板５に対して凹んだ凹部２９が形成されており、凹部２９の底壁２９ａに幕板５が当接している。
固定部２１には幕板５側から止めるねじ３３により幕板５の被固定部１７が固定されている。
【００１１】
次に、第１実施の形態に係る床１Ａの施工及び作用を説明する。施工は、各デッキ３を敷設した後、各デッキ３の端面に幕板５を取付けるが、幕板５はその長手方向の一端５ａ（図５（ｂ）参照）から適当な間隔をおいて設けた幕板固定具７で順次デッキ材端面に固定して、最後に幕板５の他端５ｂを固定する。
幕板５の端部５ｂにおける幕板５の固定は、デッキ材３の中空部３ｂ内に取付部材９を挿入して、デッキ材３の下面に幕板固定具７を配置して、幕板固定具７の被取付部１９に下から被取付部１９とデッキ材３の下面にねじ２３を挿通して取付部材の雌ねじ孔２５に螺合して、被取付部１９をデッキ材３に取付ける。
次に、幕板５のカバー部１５がデッキ材３の端面３ｄを隠すように幕板５を配置し、被取付部１９を軸着しているねじ２３を緩めた状態で、幕板固定具７の固定部２１の向きを調整する。固定部２１の向きは、ねじ２３を中心とする縦軸周りの角度を調整し、幕板固定具７の固定部２１の向きをデッキ材３端面３ｄに合わせるようにして、固定部２１が幕板５の被固定部１７に適正な位置で対面するように調整した後、ねじ２３を締め付ける。そして、幕板５の被固定部１７をねじ３３で幕板固定具７の固定部２１に固定する。
特に、本実施の形態では、複数のデッキ材３の端面３ｄで湾曲を成している箇所Ｇ（図５参照）でも、湾曲を構成するデッキ材３毎に、幕板固定具７の角度を調整して、固定部２１の向きをデッキ材の端面３ｄに合わせて、幕板５をデッキ材端面に取付けることができる。即ち、本実施の形態によれば、デッキ材３の端面３ｄに沿って湾曲状に配置した幕板５に対しても、幕板固定具７の固定部２１の向きをデッキ材の端面３ｄに合わせることができるので、デッキ材３と固定部２１との間隔が広くなりすぎたり、固定部２１に対してねじ３３が斜めになるのを防止できるから、デッキ材３に幕板５を強固に固定することができる。
また、幕板固定具７の固定部２１の向きを調整する為に、幕板固定具７をデッキ材３から外して再度取付け直す必要がないので、幕板５の取付けが簡単にできる。
【００１２】
次に、図２〜図５を参照して、第２実施の形態に係る床１Ｂを説明するが、以下に説明する他の実施の形態において、上述した実施の形態と同一の作用効果を奏する部分には同一の符号を付することにより、その部分の詳細な説明を省略し、以下の説明では、第１実施の形態と主に異なる点を説明する。
第２実施の形態に係る床１Ｂでは、デッキ材固定具４５を用いて幕板固定具７をデッキ材に取付けている点が上述した実施の形態と異なる。
まず、図３及び図４を参照して、デッキ材固定具４５について説明する。デッキ材固定具４５は、隣合うデッキ材３、３間に設けてあり、取付部３９と、取付部３９の左右（デッキ材の配列方向）には、取付部３９の左側と右側との各々から上方に突設する左右の突部４１、４１と、係止部４３とが設けてある。係止部４３は左右の突部４１、４１の上端から互いに離反する方向に突設している。係止部４３には先端部に上方に突設した嵌合部４３ａが設けてあり、デッキ材の被係止部３ｃの上にある溝３ｅに嵌合するようになっている。デッキ材固定具４５は、取付部３９を上から止めるねじ２３で、根太１１に螺合により固定している。
デッキ材３は、床１の左右方向の一方から、根太１１に順次配置して根太１１に固定しており、デッキ材固定具４５によるデッキ材３の取付けは、一つのデッキ材３の被係止部３ｃにデッキ材固定具４５の一方の係止部４３を係止して、取付部３９をねじ４９で根太１１に固定した後、図４に二点鎖線で示すように、隣のデッキ材３を矢印Ｔ方向に挿入して、隣のデッキ材３の被係止部３ｃをデッキ材固定具４５の他方の係止部４３の下面にはめ込む。このようにしてデッキ材３を隣合わせに順次取付けていく。
デッキ材固定具４５を幕板固定具７の取付部材９として用いる場合には、図２（ｂ）に示すように、デッキ材固定具４５の取付部３９に幕板固定具７の被取付部１９をねじ２３とナット２８で軸着した後、デッキ材３の端面側から隣合うデッキ材３、３間に通し込んで、左右の突部４１、４１を隣合うデッキ材３、３の各被係止部３ｃ、３ｃ間に位置し、各係止部４３、４３の下面がデッキ材３の被係止部３ｃ、３ｃの上面に係止するようにしてデッキ材３、３間に固定する（図２（ａ）参照）。
幕板固定具７は、実施例１ものと略同じ構成であり、被取付部１９と固定部２１とを有しており、ねじ２３により被取付部１９をデッキ材固定具４５の取付部３９に軸着している。
第２実施の形態においても、第１実施の形態と同様に、幕板固定具７は被取付部１９がねじ２３を軸にして回転可能にデッキ材固定具４５に止めてあり、幕板５は被固定部１７を幕板固定具７の固定部２１に固定して、幕板５のカバー部１５でデッキ３の端面３ｄを隠している。
【００１３】
第２実施の形態によれば、デッキ材固定具４５を幕体固定具７の取付部材９として用いているので、床１の部品種類を少なくすることができる。
また、デッキ材固定具４５を幕板固定具７の取付部材９として用いる場合には、デッキ材固定具４５を隣合うデッキ材３、３間に通し込むだけで簡単に取付けできる。
第２実施の形態においても、上述した第１実施の形態と同様に、ねじ２３を緩めることにより、幕板５に対して幕板固定具７の固定部２１は向きをねじ２３を中心にして回転自在であるから、固定部２１の向きをデッキ材３の端面３ｄに合わせて幕板５をデッキ材３の端面３ｄに取付けることができる。特に、図５のＧで示すように、複数のデッキ材３の端面３ｄで湾曲を形成している場合であっても、各幕板固定具７の固定部２１の向きをデッキ材の端面に合わせているので、デッキ材３に幕板５を強固に固定することができる。また、幕板固定具７の固定部２１の向きを調整する為に、幕板固定具７をデッキ材３から外して再度取付け直す必要がないので、幕板５の取付けが簡単にできる。
【００１４】
本発明は、上述した実施の形態に限らず、本発明の要旨を逸脱しない範囲で種々変形可能である。
デッキ材３は中空部３ｂを有するものに限らず、中空部３ｂはなくてもよく、例えば、第１実施の形態では、幕板固定具７の被取付部１９はデッキ材３の下面に軸着するものであってもよい。
幕板固定具７は、床１の各デッキ材３毎に設けるものであってもよいし、２つおきや３つおきに設けたデッキ材に設けたり、幕板の端部に対応するデッキ材のみ設けるものであってもよく、少なくとも２つ設けていれば良い。
第２実施の形態において、デッキ材固定具４５の係止部４３には嵌合部４３ａを設けなくても良い。また、デッキ材固定具４５は突部４１を設けないで、取付部３９をデッキ材の被係止部３ｃに跨るように設けて取付部から係止部４３を下方に向けて突出して設けてもよい。
第１実施の形態において、幕板固定部７と取付部材９は、複数のデッキ材３の端面が形成する湾曲状部の端にあるデッキ材に設けることに限らず、他のデッキ材に設けるものであてもよいし、図５のＦ部に示すように幕板が直線状に配置されるところに設けるものであってもよい。
第１実施の形態や第２実施の形態において、幕板固定具７の被取付部１９はボルトやその他の部材により取付部材９やデッキ材固定具に軸着するものであってもよい。
【図面の簡単な説明】
【００１５】
【図１】図１（ａ）は図５に示す床のＡ―Ａ断面図であり、図１（ｂ）は図１（ａ）に示す幕板固定具と取付部材とのデッキ材への取付前の状態を示す斜視図である。
【図２】図２（ａ）は図５に示す床のＢ―Ｂ断面図であり、図２（ｂ）は図２（ａ）に示す幕板固定具と取付部材とのデッキ材への取付前の状態を示す斜視図である。
【図３】図５に示す床のＣ―Ｃ断面図である。
【図４】図５に示す床のＥ―Ｅ断面図である。
【図５】本実施の形態に係る床の図であり、（ａ）は平面図であり、（ｂ）は正面図である。
【符号の説明】
【００１６】
１Ａ      第１実施の形態に係る床
１Ｂ      第２実施の形態に係る床
３        デッキ材
３ｃ      被係止部
３ｄ      端面
５        幕板
７        幕板固定具
９        取付部材
１５      カバー部
１７      被固定部
１９      被取付部
２１      固定部
３９      根太取付部
４５      デッキ材固定具
【図１】
0004622699.tif 000002
【図２】
0004622699.tif 000003
【図３】
0004622699.tif 000004
【図４】
0004622699.tif 000005
【図５】
0004622699.tif 000006